(57)【要約】【課題】  包装袋内の吸収性物品の残数が少なくなっても、物品の取出しが容易で、かつ携帯性の良い状態が保たれる、吸収性物品の包装袋を提供することにある。【解決手段】  包装袋の側面部に山折り補助線２１と谷折り補助線２２を、山折り補助線２１が谷折り補助線２２より上側となるように配する。前記山折り補助線と前記谷折り補助線を折って、山折り補助線と谷折り補助線の間の側面部を山折り補助線の上側の側面部と谷折り補助線の下側の側面部の間に折り込み、側面部の一部に配された粘着部を側面部に付着させて側面部が折り込まれた形状を保持する。【選択図】図１
2010215265.tif 000002
【特許請求の範囲】
【請求項１】
内部に吸収性物品が上下方向に複数の層を形成して収納されている、上面部、底面部及び４つの側面部を有する六面体状の吸収性物品の包装袋であって、
前記上面部に、取出し口を形成するための切り取り線を有し、
前記側面部の上下方向中間に、周方向に沿う谷折り位置と、この谷折り位置に対して上側又は下側に離間した周方向に沿う山折り位置とを有しており、
少なくとも、前記山折り位置と前記谷折り位置との間か、又は前記谷折り位置に関して前記山折り位置と線対称をなす位置と前記谷折り位置との間に、剥離部で被覆された粘着部を有し、
前記側面部を前記山折り位置及び前記谷折り位置で各方向に折り、前記側面部のうち山折り位置と谷折り位置との間の部分をその上下両側の部分の間に折り込むとともに、前記剥離部を剥離し、これにより露出した前記粘着部を介して、前記側面部のうち前記山折り位置と前記谷折り位置の間の部分とこれに対向する部分とを接着させることによって、前記側面部が折り込まれた状態を保持できるように構成した、
ことを特徴とする吸収性物品の包装袋。
【請求項２】
前記剥離部が、前記側面部の切断線で囲まれた部分であり、前記剥離部が側面部から剥離されることで、前記粘着部が露出するように構成された請求項１に記載の吸収性物品の包装袋。
【請求項３】
前記取出し口を締めるように、上面部周縁または側面部上端周辺に環状に紐が配された巾着構造を有する請求項１または２に記載の吸収性物品の包装袋。
【発明の詳細な説明】
【技術分野】
【０００１】
本発明は、生理用ナプキン、使い捨ておむつ等の吸収性物品を積み重ねた状態で包装する包装袋に関するものである。
【背景技術】
【０００２】
生理用ナプキン、使い捨ておむつ等の吸収性物品は、扁平な矩形状に折りたたまれ、複数個が重ね合わされ、包装用の樹脂フィルム等で製造された包装袋に収納された状態で販売流通経路に置かれている。使用者は、このように多段の物品を収納したパッケージを開封し、形成された取出し口から吸収性物品を一つずつ取り出して使用するのが通常である。この場合、開封直後の物品の取出しは容易であるが、包装袋内の物品の残数が少なくなってくると、取出し口から物品までの距離が長くなり、物品が取出しづらくなってしまう。また、包装袋内の残数が少なくなると、物品に空間が開きやすく、物品の傾きなどにより包装袋全体が型崩れを起こしてしまい、物品の取出しが一層面倒になる、という問題があった。
【０００３】
特許文献１は、複数段の使い捨ておむつを重ね合わせて収納した包装袋であり、側面を一周する切り取り線を有し、収納したおむつの残数が少なくなったら、この切り取り線より上側の包装袋の上面側が切り取られることにより、残ったおむつが取り出し口付近に露出し、取出しが容易になるよう構成された包装袋を開示している。
特許文献２は、特許文献１と同様に側面を一周する切り取り線を有する包装袋であり、切り取り線より下側の包装袋の底面側の一部に伸縮性があり、物品の残数が少なくなるとともに収縮する包装袋を開示している。
【先行技術文献】
【特許文献】
【０００４】
【特許文献１】特開２００３−２９２０４３号公報
【特許文献２】特開２００７−２２６３７号公報
【発明の概要】
【発明が解決しようとする課題】
【０００５】
しかしながら、これら先行技術に係る包装袋を使用した場合、吸収性物品の取出しは容易となるが、天面除去後の包装袋は、その取出し口が大きく開口しており、物品が塵埃等により汚染される、転倒により内容物が飛び出しやすく携帯性が悪い、等の問題があった。
そこで、本発明の主たる課題は、包装袋内の吸収性物品の残数が少なくなっても、物品の取出しが容易で、かつ携帯性の良い状態が保たれる、吸収性物品の包装袋を提供することにある。
【課題を解決するための手段】
【０００６】
上記課題を解決した本発明は次記のとおりである。なお、本発明における「切り取り線」は、使用時に切り離されるミシン目、切り込み等で形成された線を示すものとする。「切断線」は、前記切り取り線と、スリット等で形成された、既に分離されている線とのうちのどちらか、あるいは両方を含む線とする。また、本発明に係る包装袋において、実際の流通、使用の状態にかかわらず、取出し口を配した面を「上面部」として各方向を定義する。
【０００７】
＜請求項１記載の発明＞
内部に吸収性物品が上下方向に複数の層を形成して収納されている、上面部、底面部及び４つの側面部を有する六面体状の吸収性物品の包装袋であって、
前記上面部に、取出し口を形成するための切り取り線を有し、
前記側面部の上下方向中間に、周方向に沿う谷折り位置と、この谷折り位置に対して上側又は下側に離間した周方向に沿う山折り位置とを有しており、
少なくとも、前記山折り位置と前記谷折り位置との間か、又は前記谷折り位置に関して前記山折り位置と線対称をなす位置と前記谷折り位置との間に、剥離部で被覆された粘着部を有し、
前記側面部を前記山折り位置及び前記谷折り位置で各方向に折り、前記側面部のうち山折り位置と谷折り位置との間の部分をその上下両側の部分の間に折り込むとともに、前記剥離部を剥離し、これにより露出した前記粘着部を介して、前記側面部のうち前記山折り位置と前記谷折り位置の間の部分とこれに対向する部分とを接着させることによって、前記側面部が折り込まれた状態を保持できるように構成した、
ことを特徴とする吸収性物品の包装袋。
【０００８】
（作用効果）
吸収性物品が上下方向に複数の層を形成して収納されている場合、取出し口は、上面部の長辺と平行で同じ長さの切り取り線として形成されるのが好ましい。取出し口が線状であるため、包装袋の開封後も内部の吸収性物品に埃等が付着するのを防ぐことができる。また、上面部の長辺と同じ長さとすることで、物品を取り出すのに十分な開口を確保できる。
【０００９】
このような形態の包装袋を使用した場合、吸収性物品の残数が少なくなると包装袋上部に空隙ができ、物品を取出しづらくなる。この空隙を減じるために、包装袋の高さを低くする必要がある。本発明では、包装袋の側面部の一部を内部に折り込むことのできる形態とし、折り込んだ状態を保持するための粘着部を設けることにより、包装袋の高さを低くすることを可能とした。これにより、包装袋上部の取出し口から、残数の少なくなった吸収性物品までの距離を短くすることができる。
【００１０】
特許文献１においては、包装袋上面部と側面部の一部を取り除くことにより、包装袋の高さを低くしているが、これでは上部開口が大きくなってしまう。これに対し、本発明においては、包装袋上面部を取り除かないため、上部開口を広げることなく、包装袋の高さを低くすることが可能である。
【００１１】
＜請求項２記載の発明＞
前記剥離部が、前記側面部の切断線で囲まれた部分であり、前記剥離部が側面部から剥離されることで、前記粘着部が露出するように構成された請求項１または２に記載の吸収性物品の包装袋。
【００１２】
（作用効果）
包装袋側面部の内部に粘着部を配置し、側面部外側の対応部分を剥離することによって、粘着部が露出するようにする。請求項１の発明は、側面部を構成するシートの外側に粘着剤を塗布して、そこへ剥離紙を付着させる構造にすることによっても可能であるが、包装袋外部に剥離紙による凸部が形成され、商品運搬中に前記凸部に他の商品等が接触することにより、剥離を起こしやすい、という問題がある。請求項２記載の発明に係る包装袋は、外部が平坦であるため、このような問題が生じにくく、より好ましい。
【００１３】
＜請求項３記載の発明＞
前記取出し口を締めるように、上面部周縁または側面部上端周辺に環状に紐が配された巾着構造を有する請求項１または２に記載の吸収性物品の包装袋。
【００１４】
（作用効果）
包装袋の上部に紐通し穴を形成し、紐を通して巾着構造とすることにより、より携帯性を高くすることができる。
【発明の効果】
【００１５】
以上のとおり、本発明によれば、吸収性物品の包装袋において、包装袋内の物品の残数が少なくなっても、物品の取出しが容易で、かつ携帯性の良い状態を保つことが可能となる。
【図面の簡単な説明】
【００１６】
【図１】第１の実施形態に係る生理用ナプキンの包装袋を示す斜視図である。
【図２】第１の実施形態の包装袋の側面部を折り込んだ状態を示す斜視図である。
【図３】第１の実施形態の包装袋の側面部を折り込んだ状態を示す正面図である。
【図４】図３の４−４断面図である。
【図５】図３のａ部の拡大図及び断面図である。（Ａ）剥離部を剥離していない状態の正面図、（Ｂ）剥離部を剥離した状態の正面図、（Ｃ）ｃ−ｃ断面、（Ｄ）ｄ−ｄ断面。
【図６】第２の実施形態に係る包装袋を示す斜視図である。
【図７】第２の実施形態に係る包装袋の側面部を折り込んだ状態を示す断面図である。
【図８】第３の実施形態を示す斜視図である。
【図９】第４の実施形態を示す斜視図である。
【図１０】生理用ナプキンを平置きで二列に積層して収納した包装袋の斜視図である。
【図１１】生理用ナプキンを底面に垂直に収納した包装袋の斜視図である。
【図１２】側面部の対向する２面に１つずつ剥離部を配した包装袋の斜視図である。
【発明を実施するための形態】
【００１７】
以下、本発明の実施形態について、添付図面を参照しつつ詳説する。本実施形態においては、吸収性物品として個別包装した生理用ナプキンを使用した形態を例示する。
【００１８】
（第１の実施形態）
図１は本発明の一実施の形態に係る生理用ナプキンの包装袋を示す斜視図、図２は、使用時に側面部を折り込んだ状態を示す斜視図である。
包装袋１は、可撓性のある薄いシート材で製造されるのが好ましい。包装袋１を構成する素材は、紙、不織布、樹脂等が使用でき、限定されないが、特に、樹脂フィルム（ポリエチレンフィルム、ポリプロピレンフィルム等）が好ましく使用される。樹脂フィルムを使用する場合は、通常、包装袋１の内容物が外部から視認されないよう、不透明となるよう着色され、壁部に商品名その他の必要事項が印刷された印刷部２が設けられる。
【００１９】
包装袋１の上面部１１及び底面部１２は、樹脂フィルムを、封止線１６にそって、封止線１６の両端に折り込み部１７を有するガセット袋状になるように、ヒートシール、超音波溶着、接着剤等によって封止することによって形成される。包装袋１の側面部は、前側パネル１３、前側パネル１３に対向する後側パネル１４、前側パネル１３及び後側パネル１４を接続する、二つのサイドパネル１５を含む。前側パネル１３、後側パネル１４、サイドパネル１５は、図１に示されるようにほぼ平面的である。
【００２０】
図１には、扁平な矩形に折り畳まれて個別包装された生理用ナプキン１００が、底面部１２に平行に一列に積層されている形態が開示されているが、生理用ナプキン１００の収納形態は、垂直方向に少なくとも二層以上を有する形態であれば特に限定されない。二列の積層としてもよく（図１０）、また底面部にナプキン１００を垂直に重ねて形成した底面に平行な層を、二重あるいは三重以上に積層してもよい（図１１、図示例は二重積層）。
【００２１】
包装袋１の上面部には、取出し口用切り取り線１８が形成されている。切り取り線は、ミシン目線、切り込み線などにより形成することができるが、取出し口用切り取り線はミシン目線とすることが特に望ましい。取出し口用切り取り線１８の形状は、生理用ナプキン１００を変形させることなく取り出せる大きさの取出し口が形成されれば特に限定されないが、上面部の形成する長方形の長辺と同じ長さで平行な直線であることがより好ましい。取出し口を線状とすることで、包装袋１の開封後も内部の生理用ナプキンに埃等が付着するのを防ぐことができる。また、上面部の辺と同じ長さの切り取り線とすることで、物品を取り出すのに十分な開口を確保できる。
【００２２】
包装袋１は、側面部に周方向に沿う山折り位置と谷折り位置を有する。山折り位置、谷折り位置は、どちらを上側に配してもよいが、山折り位置を上側に配することが好ましい。山折り位置、谷折り位置には、目印を配さなくてもよいが、使用者が位置を確認しやすいよう、印刷されたガイドライン、ミシン目、折り目等で形成された補助線（山折り補助線２１、谷折り補助線２２）を配することがより好ましい。山折り補助線２１、谷折り補助線は、側面部に水平方向に環状に配されるのが好ましい。包装袋１の山折り補助線２１より上側の部分を頂部Ｔ、谷折り補助線２２より下側の部分を底部Ｂ、山折り補助線と谷折り補助線の間の部分を中間部Ｍとする。両補助線２１，２２は、頂部Ｔ、底部Ｂの垂直方向の長さが、中間部Ｍの垂直方向の長さと比較して、同等以上の長さとなるように配される。包装袋１は、山折り補助線２１、谷折り補助線２２に従って側面部の樹脂シートを折りたたまれ、折りたたまれた状態を保持されることにより（保持方法の詳細は後述）、図２、図３に示すようにコンパクトな形態となる。図２において、底部Ｂのうち、頂部Ｔの側面部シートで隠れた部分を底上部ＢＨ、隠れなかった部分を底下部ＢＬとする。
【００２３】
包装袋１の印刷部２は、中間部Ｍ及び／または底上部ＢＨに配されることが好ましい。生理用ナプキンを携帯する場合、使用者はその内容物が何であるかが分からないように化粧ポーチ等に入れて携帯することが多い。折りたたまれた状態の包装体は携帯性に優れるが、商品名等が外部から視認される状態では、生理用ナプキンの携帯用としては使用されにくい。印刷部２を中間部Ｍ及び／または底上部ＢＨに配することで、図２のように、補助線２１，２２に従って折りたたまれたとき、印刷部が隠れる構造となる。このような形態の包装体は、商品流通時には商品名が外部から視認でき、使用時には商品名が外部から視認できない構造となる。
【００２４】
包装袋１の側面部を形成する前面パネル１３、後面パネル１４、サイドパネル１５の、少なくとも側面部の対向する２面（例えば、前面パネル１３と後面パネル１４）の中間部Ｍには、周囲をミシン目、スリット等の切断線５１で囲まれた剥離部５２が設けられる。剥離部５２は、図１に示すように側面部の４面すべてにかかるよう水平方向に一周するような形態、各面に複数配された形態等を適宜選択することができるが、水平方向に細長い形態であることが好ましい。側面部の対向する２面に１つずつ剥離部を配する場合は、２つの剥離部５２は、たがいに包装袋１の水平断面の中心に対して対象となるようにすることが好ましい（図１２）。
【００２５】
剥離部を切断線５１に従って分離及び／または剥離した後の開口部には、粘着部５３が露出する。剥離前後の剥離部、粘着部の正面及び断面の一部拡大図を図５（Ａ）〜（Ｄ）に示す。切断線５１は、ミシン目等の使用時に切断される切り取り線、スリット線のように既に線を挟んだ両部材が分離された分離線であってもよい。ミシン目を使用した場合は、運搬中の剥離する恐れが少ないが、使用時にミシン目を切り離さなければならず、包装袋１を構成する樹脂シートが伸展しやすい素材（例えばポリエチレン）である場合には、ミシン目の切り取り、及び剥離部５２の包装袋１からの分離が困難となりやすい。一方、スリット線を使用した場合には、ミシン目と比較して剥離が容易に可能であるものの、剥離部は粘着部５３によって包装体に保持されるため、粘着部５３の粘着力が弱い場合には、運搬中に剥離、脱落してしまうおそれがある。したがって、前記切断線の形態は、使用する樹脂シートの性状、粘着剤等を考慮して適宜選択するのが望ましい。各剥離部の少なくとも一方の端部は、半円、反楕円、台形等の形状にトリミングされることにより、分離／剥離時に使用者が指でつまみやすく、好適である（図５（Ａ））。
【００２６】
剥離部の内側には、シリコーン、長鎖アルキルポリマー、ポリオレフィン、アルキド樹脂、フッ素化合物等の離型剤が層状、薄膜状、網目状に塗布された離型処理部５４が配されていることが好ましい（図５（Ｃ））。
【００２７】
包装体側面部の内側には、剥離部より一回り大きな粘着部シート５５が、剥離部全体を覆うように積層されている。粘着部シート５５は、ヒートシール、超音波溶着、接着剤等で側面部に固定してもよく（図示例はヒートシール５６）、粘着部シート５６の片面全面に粘着剤を配して、粘着部シート周縁部の粘着剤により固定してもよい。粘着部シートを配さず、包装袋１全体を内袋、外袋を有する二重構造として、内袋の外側に粘着部を配する形態をとることもできる。この場合、包装袋１の強度を高めることもできる。粘着部シート５５の素材は特に限定されず、紙、樹脂シート等から選択できるが、包装袋が樹脂フィルムで構成されている場合は、ヒートシール、超音波溶着が可能な樹脂フィルムを使用することが好ましい。樹脂フィルムの原料は、包装袋と同一の素材を使用しても、異なる素材を使用してもよい。
【００２８】
粘着部５３には、ホットメルト粘着剤、アクリル系粘着剤、天然ゴム系粘着剤、合成ゴム系粘着剤、シリコーン系粘着剤等の既知の粘着剤が層状、薄膜状、網目状に配される。
【００２９】
図４に、折りたたまれた状態の包装袋１の断面図を示す。剥離部５２が剥離されることにより、中間部Ｍの側面外側に粘着部５３が露出する。山折り補助線２１、２２に従って、側面部が折りたたまれることにより、粘着部５３は、底上部ＢＨの側面外側に対向する。粘着部５３が底上部ＢＨの対応部位に付着されることにより、折りたたまれた状態が保持される。底上部ＢＨの側面外側の、粘着部５３を付着するのに適した位置にガイドラインを印刷しておくと、粘着部５３が誤った場所に付着され、包装袋１の形態が崩れるのを防ぐことができる。
【００３０】
（第２の実施形態）
図６、図７に第２の実施形態を示す。第２の実施形態においては、剥離部が底上部ＢＨの側面外側に配される。図７に折りたたまれた状態の包装袋１の断面図を示す。剥離部５２が剥離されることにより、底上部ＢＨの側面外側に粘着部５３が露出する。山折り補助線２１、２２に従って、側面部が折りたたまれることにより、粘着部５３は、中間部Ｍの側面外側に対向する。粘着部５３が中間部Ｍの対応部位に付着されることにより、折りたたまれた状態が保持される。
【００３１】
（第３の実施形態）
図８に第３の実施形態を示す。山折り補助線２１、谷折り補助線２２、剥離部５２は、それぞれ複数配することもできる。図８では各２つずつの形態を例示している。比較的大容量の包装袋１において、好適に使用できる。
【００３２】
（第４の実施形態）
図９に第４の実施形態を示す。取出し口周辺に巾着構造を有する包装袋３においても、側面部を折りたたむことにより、巾着構造を保持したままコンパクトにすることが可能である。図９に示すように、本形態おいては、側面部が上面部より上に延出して形成された上端部ＴＨがあり、その上端部ＴＨの周縁には、紐通し穴９１が環状に形成されている。紐通し穴９１は少なくとも１つの紐通し口９３（図示例では２つ）を有し、紐通し穴９１に通された輪状の紐９２が、紐通し口９３から露出しており、使用者が紐９２の前記露出した部分をつまんで、包装袋１の水平断面中心から外側方向に向かって水平に引っ張ることにより（図中矢印方向）紐通し穴を配した上端部ＴＨの周縁が絞られる。紐通し穴の位置は、上端部ＴＨに限定されず、上面部の周縁１１、側面部頂部Ｔとしてもよい。また、紐通し穴の形状は環状でなくてもよく、少なくとも対向する２面の上端部か側面部頂部、または上端部の対向する２辺周辺に配されていればよい。紐９２の素材は特に限定されず、綿、麻、ポリエステル等の繊維糸や、ポリエチレン、ポリプロピレン等の樹脂フィルムを細長構造としたもの等を使用できる。巾着構造を有する包装袋３は、上端部が絞られた状態では、転倒による内容物の飛び出しがなく携帯性に優れるため、より好適に使用できる。紐１本、紐通し口１つが配され、紐が一方向にのみ引っ張られて収納袋上部が閉じられる形態も、紐２本、紐通し口２つが配され、２本の紐が互いに反対方向に引っ張られて収納袋上部が絞られる形態も、どちらも使用できる。
【産業上の利用可能性】
【００３３】
本発明は、上記例のような生理用ナプキンの包装袋に好適なものであるが、パンティーライナー、使い捨ておむつ、吸収パッド等の包装袋にも適用できるものである。
【符号の説明】
【００３４】
１…包装袋、１１…上面部、１２…底面部、２…印刷部、２１…山折り補助線、２２…谷折り補助線、５１…切断線、５２…剥離部、５３…粘着部、５４…離型処理部、５５…粘着部シート、９１…紐通し穴、９２…紐、１００…生理用ナプキン。
【図１】
2010215265.tif 000003
【図２】
2010215265.tif 000004
【図３】
2010215265.tif 000005
【図４】
2010215265.tif 000006
【図５】
2010215265.tif 000007
【図６】
2010215265.tif 000008
【図７】
2010215265.tif 000009
【図８】
2010215265.tif 000010
【図９】
2010215265.tif 000011
【図１０】
2010215265.tif 000012
【図１１】
2010215265.tif 000013
【図１２】
2010215265.tif 000014